(57)【要約】【課題】起動時に突入電流が発生することを防止する。【解決手段】電源電圧が印加される一次巻線、補助巻線、二次巻線を有するトランスの前記二次巻線側に前記電源電圧より高い昇圧電圧を発生させる昇圧用駆動回路において、前記一次巻線と直列接続されるとともに前記補助巻線に発生する電圧に基づいて動作するスイッチングトランジスタと、電源電圧が印加される時定数回路と、を備え、前記時定数回路の出力電圧を前記補助巻線に印加する。【選択図】      図１
2006288058.tif 000002
【特許請求の範囲】
【請求項１】
電源電圧が印加される一次巻線、補助巻線、二次巻線を有するトランスの前記二次巻線側に前記電源電圧より高い昇圧電圧を発生させる昇圧用駆動回路において、
前記一次巻線と直列接続されるとともに前記補助巻線に発生する電圧に基づいて動作するスイッチングトランジスタと、
電源電圧が印加される時定数回路と、を備え、
前記時定数回路の出力電圧を前記補助巻線に印加すること、を特徴とする昇圧用駆動回路。
【請求項２】
前記時定数回路は、
前記電源電圧と前記補助巻線の一端との間に接続された起動抵抗と、
前記起動抵抗と直列接続されたコンデンサと、からなり、
前記起動抵抗と前記コンデンサの接続点は、前記補助巻線の一端と接続されることを特徴とする請求項１に記載の昇圧用駆動回路。
【請求項３】
電源電圧が印加される一次巻線、補助巻線、二次巻線を有するトランスの前記二次巻線側に前記電源電圧より高い昇圧電圧を発生させる昇圧用駆動回路において、
前記一次巻線と直列接続されるとともに前記補助巻線に発生する電圧に基づいて動作するスイッチングトランジスタと、
前記電源電圧と前記補助巻線の一端との間に接続された起動抵抗と、
前記起動抵抗とともに時定数回路を構成するコンデンサを、前記起動抵抗と直列接続するための端子と、
を備え、前記起動抵抗と前記コンデンサを接続した前記端子に発生する前記時定数回路の出力電圧を前記補助巻線の一端に印加することを特徴とする昇圧用駆動回路。
【請求項４】
前記補助巻線の他端側には、
前記スイッチングトランジスタの制御電流を設定するための第１設定抵抗と、
前記スイッチングトランジスタのバイアスを設定するための第２設定抵抗と、
が設けられることを特徴とする請求項２または３に記載の昇圧用駆動回路。
【請求項５】
前記第１設定抵抗および前記第２設定抵抗は、前記補助巻線の他端と直列接続され、
前記第１設定抵抗および前記第２設定抵抗の接続点は、前記制御電流が供給される前記スイッチングトランジスタの制御電極と接続される、ことを特徴とする請求項４に記載の昇圧用駆動回路。
【発明の詳細な説明】
【技術分野】
【０００１】
本発明は、昇圧用駆動回路に関する。
【背景技術】
【０００２】
カメラ（例えば、デジタルスチルカメラ）には、例えば撮像時に閃光を発するための閃光発生回路が設けられている。閃光発生回路は、例えば電池電源の電圧を昇圧する昇圧回路と、昇圧された電圧を発光指示に基づいて放電する発光回路とを有している。そして、閃光発生回路は、例えば３〜５ボルトの電池電源から、例えば３００ボルトの昇圧電圧を発生させ、その昇圧電圧を放電して閃光を発する。また、昇圧回路には、昇圧トランスと、当該昇圧トランスの巻線に発生する電圧を切り替えるためのトランジスタとを有しているものがある。さらに、このような昇圧回路として、トランジスタが自らオンオフ動作を繰り返すものと、例えば制御部からの制御信号に基づいてオンオフ動作を繰り返すものがある。前者を自励式と呼び、後者を他励式と呼ぶ。自励式であっても、他励式であっても、昇圧トランスの一次巻線の電圧を切り替えることによって、昇圧トランスの二次巻線側に電流を誘導することが行われる。なお、自励式昇圧回路（リンギング・チョーク・コンバータ回路、以下ＲＣＣ回路とする）は、回路が簡単であり、また少ない回路部品で構成できるという特徴があり、低コストのスイッチング電源等に多く使用されている（例えば特許文献１参照）。昇圧用駆動回路は、例えばＲＣＣ回路に備えられ、昇圧トランスの各巻線に発生する電圧の切り替えを制御している。
【０００３】
図３を参照しつつ従来の昇圧用駆動回路について説明する。  
図３は、従来の昇圧用駆動回路を適用したＲＣＣ回路３００を有する閃光発生回路の一例を示す回路図である。
【０００４】
電源１００は、例えば電池電源であり、電源１００の正極は、電源スイッチ１０１を介して、昇圧トランス１１０の一次巻線１１０ａの一端Ｐ１と接続されている。また、電源１００の負極は接地されている。
【０００５】
ＮＰＮトランジスタ１０８のコレクタは、昇圧トランス１１０の一次巻線１１０ａの他端Ｐ２と接続され、エミッタは接地されている。またＮＰＮトランジスタ１０８のベースは、起動抵抗１０２及び電源スイッチ１０１を介して電源１００の正極と接続されている。昇圧トランス１１０のドライブ巻線１１０ｂの一端Ｐ３は、コンデンサ１０６の一方の電極と接続され、他端Ｐ４は接地されている。昇圧トランス１１０の二次巻線１１０ｃの一端Ｐ５は、ダイオード１２０のアノードと接続され、他端Ｐ６は接地されている。
【０００６】
なお、巻線には巻き始めと巻き終わりがあり、この巻き始めと巻き終わりによってトランスの相互誘導によって生じる電圧の極性が変化する。図中の黒丸は、巻線の極性を示している。例えば、一次巻線１１０ａの一端Ｐ１が正の極性の場合、ドライブ巻線１１０ｂの一端Ｐ３および二次巻線１１０ｃの他端Ｐ６は正の極性となる。また、このとき一次巻線１１０ａの他端Ｐ２、ドライブ巻線１１０ｂの他端Ｐ４および二次巻線１１０ｃの一端Ｐ５は負の極性となる。
【０００７】
コンデンサ１０６は、昇圧トランス１１０のドライブ巻線１１０ｂへの直流バイアスをカットするとともに、ＮＰＮトランジスタ１０８がオンオフ動作しているときのベース電流を制御するためのものである。コンデンサ１０６の他方の電極は抵抗１０４を介してＮＰＮトランジスタ１０８のベースと接続されている。
【０００８】
メインコンデンサ１２２は、極性を有するコンデンサ（例えば電界コンデンサ）であり、非接地側の電極はダイオード１２０のカソードと接続されている。
【０００９】
トリガ用コンデンサ１２６の非接地側の電極は、抵抗１２４を介してメインコンデンサ１２２の非接地側の電極と接続されている。なお、抵抗１２４は、トリガトランス１２８の一次巻線１２８ａに供給する電流を制限するためのものであり、トリガ用コンデンサ１２６は、抵抗１２４と接地間の直流バイアスをカットするとともに、メインコンデンサ１２２の電荷をトリガトランス１２８の一次巻線１２８ａに印加するためのものである。
【００１０】
トリガトランス１２８は、キセノン管１３２の表面に、例えば５Ｋボルトの高電圧を与えるためのトランスであり、一次巻線１２８ａと二次巻線１２８ｂを有している。一次巻線１２８ａの一端はコンデンサ１２６の一端と接続され、二次巻線１２８ｂの一端はキセノン管１３２のトリガ電極と接続されている。そして、一次巻線１２８ａと二次巻線１２８ｂの他端は、ともにキセノン管１３２の陰極と接続されている。
【００１１】
キセノン管１３２は、閃光発光を行うためのランプである。キセノン管１３２の陽極はメインコンデンサ１２２の非接地側の電極と接続され、陰極はパワートランジスタ１３４のコレクタと接続されている。
【００１２】
パワートランジスタ（以下ＩＧＢＴとする）１３４は、例えばカメラのシャッターをトリガとしてキセノン管１３２を閃光発光させるものである。ＩＧＢＴ１３４のゲートには、例えば不図示の制御部から閃光発光を指示する発光信号が印加され、ＩＧＢＴ１３４のエミッタは接地されている。なお、ＩＧＢＴ１３４に印加される発光信号の大きさに応じて、キセノン管１３２に流れる電流を制御することで、キセノン管１３２の発光の明るさの調整を行うことができる。
【００１３】
図３において、抵抗１２４、コンデンサ１２６、トリガトランス１２８、キセノン管１３２、ＩＧＢＴ１３４は、発光回路を構成している。また、ＲＣＣ回路３００において、起動抵抗１０２、１０４、コンデンサ１０６、ＮＰＮトランジスタ１０８は昇圧用駆動回路を構成している。
【００１４】
まず、発光回路の動作について説明する。メインコンデンサ１２２の充電電圧は、キセノン管１３２を発光させるのに必要な電圧、例えば３００ボルトであるものとする。撮像時に、例えばカメラのシャッターが押されることによって発光信号がＩＧＢＴ１３４のゲートに印加され、ＩＧＢＴ１３４がオンする。ＩＧＢＴ１３４がオンすることによって、メインコンデンサ１２２の放電が行われ、キセノン管１３２の陽極と陰極間には、メインコンデンサ１２２の充電電圧（例えば３００ボルト）が印加される。
【００１５】
また、ＩＧＢＴ１３４がオンすると、トランス１２８の一次巻線１２８ａには、メインコンデンサ１２２の充電電圧が抵抗１２４およびトリガ用コンデンサ１２６で制御されて印加される。そして、トリガトランス１２８の二次巻線１２８ｂには、一次巻線１２８ａとの巻数比に応じた、例えば５Ｋボルトの高電圧が発生する。
【００１６】
キセノン管１３２は、両端に例えば３００ボルトが印加され、管表面に例えば５Ｋボルトの高電圧が印加されることによって、内部のキセノンが励起されて導通し、発光する。
【００１７】
次に、ＲＣＣ回路３００の動作について説明する。  
まず、電源スイッチ１０１をオンとすることで、電源１００から起動抵抗１０２を介した電流がＮＰＮトランジスタ１０８のベースに供給される。そしてＮＰＮトランジスタ１０８のベース電流が増加することによって、ＮＰＮトランジスタ１０８の導通が開始する。ＮＰＮトランジスタ１０８が導通することで、昇圧トランス１１０の一次巻線１１０ａに電圧が発生し、同時にドライブ巻線１１０ｂおよび二次巻線１１０ｃにも一次巻線１１０ａとの巻数比に応じた電圧が発生する。ドライブ巻線１１０ｂに発生する電圧は、コンデンサ１０６および抵抗１０４を介して、ＮＰＮトランジスタ１０８をさらに導通させる正帰還の電圧となる。よって、ＮＰＮトランジスタ１０８は急速にオンする。ＮＰＮトランジスタ１０８がオンとなる場合では、図中黒丸の側が正の極性となる。つまり、二次巻線１１０ｃは他端Ｐ６が正の極性となり、一端Ｐ５が負の極性となる。よって、この場合、昇圧トランス１１０の二次巻線１１０ｃに発生する電圧はダイオード１２０に対し逆方向電圧となるため、二次巻線１１０ｃには電流が流れないこととなる。なお、電源１００の電圧をＶ１とし、ＮＰＮトランジスタ１０８のコレクタ−エミッタ間電圧をＶＣＥ１とすると、１次巻線１１０ａに発生する電圧Ｖ２は、Ｖ２＝Ｖ１−ＶＣＥ１となる。
【００１８】
やがて、ＮＰＮトランジスタ１０８のコレクタ電流が増大し、ＮＰＮトランジスタ１０８の飽和を保つベース電流が供給されなくなる。すると、ＮＰＮトランジスタ１０８は飽和からはずれ、ＮＰＮトランジスタ１０８のＶＣＥ１が増大する。ＶＣＥ１が増大すると、昇圧トランス１１０の一次巻線１１０ａに発生する電圧Ｖ２が低下する。さらに、一次巻線１１０ａの電圧Ｖ２が低下することによって、ドライブ巻線１１０ｂに発生する電圧も低下することになる。ドライブ巻線１１０ｂの電圧低下はＮＰＮトランジスタ１０８のベースに正帰還されるので、ＮＰＮトランジスタ１０８は急速にオフする。
【００１９】
ＮＰＮトランジスタ１０８がオフとなる場合では、図中黒丸の側が負の極性となる。つまり、二次巻線１１０ｃの一端Ｐ５が正の極性となり、他端Ｐ６が負の極性となる。よって、昇圧トランス１１０の二次巻線１１０ｃに発生する電圧はダイオード１２０に対し順方向電圧となるため、ダイオード１２０に電流が流れ、メインコンデンサ１２２に充電が行われる。
【００２０】
昇圧トランス１１０に蓄積されていたエネルギがすべてメインコンデンサ１２２に移されると、ダイオード１２０に流れる電流はゼロになる。この瞬間、昇圧トランス１１０の一次巻線１１０ａ、二次巻線１１０ｃ、ドライブ巻線１１０ｂの電圧はゼロになるが、ＮＰＮトランジスタ１０８は、電源１００から起動抵抗１０２を介した電流がベースに供給されることによって、再度導通が開始する。以下、同様の発振動作を繰り返し行うことによって、昇圧トランス１１０の二次巻線１１０ｃに発生する電圧をメインコンデンサ１２２に順次蓄えていくことができ、例えば３ボルトの電源１００の電圧を、例えば３００ボルトに昇圧することができる。
【特許文献１】特開２００４−１４２３７号公報
【発明の開示】
【発明が解決しようとする課題】
【００２１】
図４は、図３に示すＲＣＣ回路３００の入力電流と、充電電圧の時間変化を示す図である。なお、入力電流とは、電源１００から昇圧トランス１１０の一次巻線１１０ａの一端Ｐ１に供給される電流のことであり、充電電圧とは、メインコンデンサ１２２の充電電圧のことである。図４において実線は入力電流を示し、破線は充電電圧を示している。メインコンデンサ１２２の充電電圧はＲＣＣ回路３００の発振動作によって時間とともに増加し、例えば３００ボルトに達するとほぼ一定になる。
【００２２】
一方、ＲＣＣ回路３００の入力電流には、図４に示すように、起動時に、例えば突起状のピーク電流が発生する（以下、このピーク電流を突入電流と呼ぶ）。この突入電流は、起動時のＮＰＮトランジスタ１０８のベース電流の増加が急激なことと、起動時には発振動作を行っていないため、昇圧トランス１１０の一次巻線１１０ａのインピーダンスが小さいことによって発生するものである。この突入電流が発生すると、電池電圧の低下、電源の寿命の低下、回路動作の不具合などの原因となる可能性がある。
【００２３】
このように、従来の昇圧用駆動回路を適用したＲＣＣ回路では、起動時に突入電流が発生するという問題点があった。  
そこで、本発明は、起動時に突入電流が発生することを防止する昇圧用駆動回路を提供することを目的とする。
【課題を解決するための手段】
【００２４】
前記課題を解決するための主たる発明は、電源電圧が印加される一次巻線、補助巻線、二次巻線を有するトランスの前記二次巻線側に前記電源電圧より高い昇圧電圧を発生させる昇圧用駆動回路において、前記一次巻線と直列接続されるとともに前記補助巻線に発生する電圧に基づいて動作するスイッチングトランジスタと、電源電圧が印加される時定数回路と、を備え、前記時定数回路の出力電圧を前記補助巻線に印加すること、を特徴とする。
【００２５】
また、電源電圧が印加される一次巻線、補助巻線、二次巻線を有するトランスの前記二次巻線側に前記電源電圧より高い昇圧電圧を発生させる昇圧用駆動回路において、前記一次巻線と直列接続されるとともに前記補助巻線に発生する電圧に基づいて動作するスイッチングトランジスタと、前記電源電圧と前記補助巻線の一端との間に接続された起動抵抗と、前記起動抵抗とともに時定数回路を構成するコンデンサを、前記起動抵抗と直列接続するための端子と、を備え、前記起動抵抗と前記コンデンサを接続した前記端子に発生する前記時定数回路の出力電圧を前記補助巻線の一端に印加することを特徴とする。
【発明の効果】
【００２６】
本発明によれば、起動時のスイッチングトランジスタの導通を緩やかにすることができる。
【発明を実施するための最良の形態】
【００２７】
本明細書および添付図面の記載により、少なくとも以下の事項が明らかとなる。
【００２８】
図１を参照しつつ、本発明の昇圧用駆動回路について説明する。図１は、本発明の昇圧用駆動回路を適用したＲＣＣ回路２００を有する閃光発生回路の一例を示す回路図である。  
なお、図１において図３と同一の構成の部分には同一符号を付し説明を省略する。
【００２９】
＝＝＝ＲＣＣ回路の構成＝＝＝
本発明の昇圧用駆動回路を適用したＲＣＣ回路２００の構成について説明する。  
昇圧トランス１６の一次巻線１６ａの一端Ａは電源スイッチ１０１を介して電源１００の正極と接続され、他端ＢはＮＰＮトランジスタ２４のコレクタと接続されている。昇圧トランス１６のドライブ巻線１６ｂ（『補助巻線』）の一端Ｃは、起動抵抗１２および電源スイッチ１０１を介して電源１００の正極と接続され、他端Ｄは直列抵抗２０、２２を介して接地されている。また、昇圧トランス１６の二次巻線１６ｃの一端Ｅはダイオード１２０のアノードと接続され、他端Ｆは接地されている。
【００３０】
なお、巻線には巻き始めと巻き終わりがあり、この巻き始めと巻き終わりによってトランスの相互誘導によって生じる電圧の極性が変化する。図中の黒丸は、巻線の極性を示している。例えば一次巻線１６ａの一端Ａが正の極性のとき、ドライブ巻線１６ｂの他端Ｄ、および二次巻線１６ｃの他端Ｆが正の極性となる。
【００３１】
コンデンサ１４の非接地側の電極は、昇圧トランス１６のドライブ巻線１６ｂの一端Ｃと接続されている。
【００３２】
ＮＰＮトランジスタ２４（『スイッチングトランジスタ』）のベースは、直列抵抗２０、２２の接続点と接続され、エミッタは接地されている。直列抵抗２０、２２において、抵抗２０（『第１設定抵抗』）は、ＮＰＮトランジスタ２４のベース電流を制御するための抵抗であり、抵抗２２（『第２設定抵抗』）は、ＮＰＮトランジスタ２４のバイアスを設定するための抵抗である。
【００３３】
ＲＣＣ回路３００において、起動抵抗１２、直列抵抗２０、２２、コンデンサ１４、ＮＰＮトランジスタ２４は昇圧用駆動回路を構成している。また、抵抗１２およびコンデンサ１４は時定数回路を構成しており、抵抗１２とコンデンサ１４の接続点の電圧が時定数回路の出力電圧となる。
【００３４】
なお、図１において一点鎖線で囲んだ起動抵抗１２、直列抵抗２０、２２およびＮＰＮトランジスタ２４は、例えばチップ上に集積化することが可能である。集積化する場合には、コンデンサ１４と起動抵抗１２との間に、コンデンサ１４と起動抵抗１２を直列接続するための端子を設けることになる。そして、その端子に発生する電圧を昇圧トランス１６のドライブ巻線の一端Ｃに印加する。
【００３５】
＝＝＝ＲＣＣ回路の動作＝＝＝
次に、本発明の昇圧用駆動回路を適用したＲＣＣ回路２００の動作について説明する。
【００３６】
まず、電源スイッチ１０１をオンとすることで、電源１００から起動抵抗１２に電流が供給される。電源１００とドライブ巻線１６ｂの一端Ｃとの間に、起動抵抗１２およびコンデンサ１４による時定数回路が設けられていることによって、ドライブ巻線１６ｂの電圧は徐々に上昇することになる。
【００３７】
そして、ドライブ巻線１６ｂの電圧が上昇することによって、直列抵抗２０、２２の接続点に現れる電圧も徐々に上昇し、ＮＰＮトランジスタ２４のベース電流が徐々に増加する。そしてＮＰＮトランジスタ２４のベース電流の増加に伴い、ＮＰＮトランジスタ２４の導通が開始する。ＮＰＮトランジスタ２４が導通することで、昇圧トランス１１０の一次巻線１６ａに電圧が発生する。また一次巻線１６ａに電圧が発生することによって、ドライブ巻線１６ｂおよび二次巻線１６ｃにも一次巻線１６ａとの巻数比に応じた電圧が発生する。ドライブ巻線１６ｂに発生する電圧は、抵抗２０を介して、ＮＰＮトランジスタ２４をさらに導通させる正帰還の電圧となる。よって、ＮＰＮトランジスタ２４は急速にオンする。このＮＰＮトランジスタ２４がオンする場合では、図１中の黒丸の側が正の極性となる。つまり、二次巻線１６ｃは他端Ｆが正の極性となり一端Ｅが負の極性となる。よって、昇圧トランス１６の二次巻線１６ｃに発生する電圧はダイオード１２０に対し逆方向となるため、二次巻線１６ｃには電流が流れないこととなる。なお、電源１００の電圧をＶ１とし、ＮＰＮトランジスタ２４のコレクタ−エミッタ間電圧をＶＣＥ２とすると、１次巻線１６ａに発生する電圧Ｖ３は、Ｖ３＝Ｖ１−ＶＣＥ２となる。
【００３８】
やがて、ＮＰＮトランジスタ２４のコレクタ電流が増大し、ベース電流がＮＰＮトランジスタ２４の飽和を保つことが出来なくなる。すると、ＮＰＮトランジスタ２４は飽和からはずれ、ＮＰＮトランジスタ２４のＶＣＥ２が増大する。ＶＣＥ２が増加し、昇圧トランス１６の一次巻線１６ａの電圧Ｖ３が低下すると、ドライブ巻線１６ｂの電圧も低下することになる。このドライブ巻線１６ｂの電圧低下はＮＰＮトランジスタ２４のベースに正帰還されるので、ＮＰＮトランジスタ２４は急速にオフする。
【００３９】
ＮＰＮトランジスタ２４がオフとなる場合、図１中の黒丸の側が負の極性となる。つまり、二次巻線１６ｃは一端Ｅが正の極性となり、他端Ｆが負の極性となる。よって、昇圧トランス１６の二次巻線１６ｃに発生する電圧はダイオード１２０に対し順方向となるためダイオード１２０に電流が流れ、メインコンデンサ１２２に充電が行われる。
【００４０】
昇圧トランス１６に蓄積されていたエネルギがすべてメインコンデンサ１２２に移されると、ダイオード１２０に流れる電流はゼロになる。この瞬間、昇圧トランス１６の一次巻線１６ａ、二次巻線１６ｃ、ドライブ巻線１６ｂの電圧はゼロになるが、電源１００によって、ＮＰＮトランジスタ２４のベースに電流が供給され始めることによって、再度ＮＰＮトランジスタ１０８の導通が開始する。以下、同様の発振動作を繰り返し行うことによって、メインコンデンサ１２２に昇圧トランス１６の二次巻線１６ｃに発生する電圧を順次蓄えていくことができ、例えば３ボルトの電源１００の電圧を、例えば３００ボルトに昇圧することができる。
【００４１】
図２は、ＲＣＣ回路２００の入力電流と、充電電圧の時間変化を示す図である。なお、入力電流とは、電源１００から昇圧トランス１６の一次巻線１６ａの一端Ａに供給される電流のことであり、充電電圧とは、メインコンデンサ１２２の充電電圧のことである。図２において実線は入力電流を示しており、破線は充電電圧を示している。
【００４２】
ＲＣＣ回路２００は、起動抵抗１２とコンデンサ１４による時定数回路によって、ＮＰＮトランジスタ２４に供給されるベース電流を徐々に増加している。よって、図２に示すように、起動時の入力電流に突入電流が発生することを防止することができる。よって、電池電圧の低下、電池電源の寿命の低下、回路動作の不具合などを防止することが可能となる。
【００４３】
以上、説明したように、本発明の昇圧用駆動回路は、起動抵抗１２とコンデンサ１４からなる時定数回路を設けているので、ＮＰＮトランジスタ２４に供給されるベース電流の増加を緩やかにすることができ、起動時に突入電流が発生することを防止することができる。コンデンサ１４はドライブ巻線１６ｂの一端Ｃと電源１００との間に接続されているので、起動時のドライブ巻線１６ｂの電圧の上昇を緩やかにすることができる。
【００４４】
図１において、起動抵抗１２、直列抵抗２０、２２、ＮＰＮトランジスタ２４を集積化する場合、起動抵抗１２とコンデンサ１４との接続端子に発生する電圧を昇圧トランス１６のドライブ巻線１６ｂの一端Ｃに印加することによって、突入電流が発生することを防止することができる。
【００４５】
また、ドライブ巻線１６ｂの他端Ｄに接続された直列抵抗２０、２２において、抵抗２０によって、ＮＰＮトランジスタ２４のベース電流を設定することができ、抵抗２２によってＮＰＮトランジスタ２４のバイアスを設定することができる。
【００４６】
さらに、ドライブ巻線１６ｂの他端Ｄの電圧によって直列抵抗２０、２２の接続点に現れる電圧に応じて、ＮＰＮトランジスタ２４のオンオフを制御することができる。
【００４７】
以上、本実施の形態について、その実施の形態に基づき具体的に説明したが、これに限定されるものではなく、その要旨を逸脱しない範囲で種々変更可能である。
【図面の簡単な説明】
【００４８】
【図１】本発明にかかる昇圧用駆動回路を適用したＲＣＣ回路を有する閃光発生回路の一例を示す回路図である。
【図２】本発明にかかる昇圧用駆動回路を適用したＲＣＣ回路に供給される入力電流と、充電電圧の時間変化を示す図である。
【図３】従来の昇圧用駆動回路を適用したＲＣＣ回路を有する閃光発生回路の一例を示す回路図である。
【図４】従来の昇圧用駆動回路を適用したＲＣＣ回路に供給される入力電流と、充電電圧の時間変化を示す図である。
【符号の説明】
【００４９】
１２  起動抵抗
１４  コンデンサ
１６  昇圧トランス
２０、２２、１２４  抵抗
２４  ＮＰＮトランジスタ
１２０  ダイオード
１２２  メインコンデンサ
１２６  トリガ用コンデンサ
１２８  トリガトランス
１３２  キセノン管
１３５  ＩＧＢＴ
１００  電源
１０１  電源スイッチ
２００  ＲＣＣ回路
【図１】
2006288058.tif 000003
【図２】
2006288058.tif 000004
【図３】
2006288058.tif 000005
【図４】
2006288058.tif 000006